(57)【要約】【課題】自動消去において重要なメールを削除されてしまうのを防ぐためには、メールの保護機能をユーザ自身が設定しなくてはならないため、手間がかかってしまい、また、受信してから開封までにかかった時間を重要度の判断基準とすることにより重み付けを行う機能においては、ユーザの価値観が必ずしも重みとして反映されるわけではなかった。【解決手段】メールを受信するメール受信部１１と、メール受信部１１により受信したメールを記憶するメール記憶部１３と、メール記憶部１３に記憶したメールを表示する表示部１７と、メールのサイズに対応する予想表示時間と、表示部１７に表示していた時間に基づいて、メールの重要度を決定し、決定した重要度を当該メールに関連付けてメール記憶部１３に記憶するように制御するメール重要度決定部１４と、重要度に基づいてメール記憶部１３のメールを自動的に削除するメール自動削除部１６とを備える。【選択図】図１
2010079861.tif 000002
【特許請求の範囲】
【請求項１】
メールを受信する受信部と、
該受信部により受信したメールを記憶する記憶部と、
該記憶部に記憶したメールを表示する表示部と、
メールのサイズに対応する予想表示時間と、前記表示部に表示していた時間に基づいて、該メールの重要度を決定し、決定した重要度を当該メールに関連付けて前記記憶部に記憶するように制御する制御部と、
前記重要度に基づいて前記記憶部のメールを自動的に削除する削除部と、
を備えるメール受信装置。
【請求項２】
前記制御部は、各メールの表示回数を計測し、計測した表示回数に基づいて、前記重要度を補正することを特徴とする請求項１記載のメール受信装置。
【請求項３】
前記削除部は、前記記憶部に記憶されたメールの容量が所定のサイズを超えると前記重要度に基づいてメールを削除することを特徴とする請求項１または２記載のメール受信装置。
【請求項４】
前記メールのサイズとは、メールの文章量であることを特徴とする請求項１から３のいずれか一項記載のメール受信装置。
【請求項５】
前記メールのサイズとは、メールの添付データのサイズであることを特徴とする請求項１から３のいずれか一項記載のメール受信装置。
【発明の詳細な説明】
【技術分野】
【０００１】
この発明は、送受信するメールを効率良く管理するためのメール受信装置に関する。
【背景技術】
【０００２】
携帯端末の普及により、メールを使ったコミュニケーションが頻繁に行われるようになった。そのため、送受信するメールの量も増えている。そこで、効率良くメールの管理をするために、受信されたメールに付加された受信日時や送信者のアドレスといった情報を元に重み付けが行われており、利便性の向上を図っている。このようなものとして、例えば、メールが受信されてから開封されるまでの時間を元に重み付けを行う「電子メール送受信装置、電子メール送受信システム、電子メール送受信方法、電子メール送受信方法をコンピュータに実行させるプログラム、及びそのプログラムを記録したコンピュータ読み取り可能な記録媒体」（特許文献１参照）が知られている。
【０００３】
また、記憶容量が限られてしまう携帯端末等については、メールが保存できる限界値が存在し、それを超えて保存することができない。即ち、保存限界に達している状況において新規メールを受信しようとすると、領域不足のためそれ以上受信することができず、旧メールを削除する等の手段で領域を確保する必要がある。この領域の確保の方法として、メールの重みを自動的に判断することで不要なメールを削除し、ユーザに手間をかけることなく領域の確保を行う方法がある。一般的には、受信日時の古いものから重要度が低いと判断され、自動消去の対象とされる。
【０００４】
このように、受信日時の古いものから重要度が低いと判断されると、受信日時が古くても重要であって保存しておきたいメールを削除されてしまう可能性があることから、重要なメールの削除を防ぐために、メールの保護機能が備えられている。従って、ユーザは、保護したいメールを個別に選択指定、或いは特定送信者からのメールは自動的にフォルダ分けを行う等の自動保護機能を用いることにより、保存しておきたいメールを自動消去の対象外とすることができる。
【０００５】
また、ユーザが予め設定する必要がない重み付けとして、受信してから開封までにかかった時間を用い、この時間を重要度の判断基準とすることにより重み付けを行う機能を備えたもの（特許文献１参照）も知られている。
【特許文献１】特開２００２−２１５５４３号公報
【発明の開示】
【発明が解決しようとする課題】
【０００６】
しかしながら、従来の、受信日時を重要度と考えた自動消去において、古くても重要なメールを削除されてしまうのを防ぐためには、備えられているメールの保護機能を、ユーザ自身が設定しなくてはならないため、手間がかかってしまう。また、ユーザが予め設定する必要がない、受信してから開封までにかかった時間を重要度の判断基準とすることにより重み付けを行う機能においては、ユーザがメールを直ぐに開けない状況にあった場合、そのメールの重要度が下げられてしまうので、ユーザの価値観が必ずしも重みとして反映されるわけではなかった。
【０００７】
この発明の目的は、受信したメールを自動消去する場合に、ユーザにとって重要なメールの削除を防止することができると共に、ユーザ自身が設定しなくてはならないメール保護機能を必要としないためユーザの操作負担を減らすことができるメール受信装置を提供することである。
【課題を解決するための手段】
【０００８】
上記目的を達成するため、この発明に係るメール受信装置は、メールを受信する受信部と、該受信部により受信したメールを記憶する記憶部と、該記憶部に記憶したメールを表示する表示部と、メールのサイズに対応する予想表示時間と、前記表示部に表示していた時間に基づいて、該メールの重要度を決定し、決定した重要度を当該メールに関連付けて前記記憶部に記憶するように制御する制御部と、前記重要度に基づいて前記記憶部のメールを自動的に削除する削除部と、を備えることを特徴としている。
また、この発明において、前記制御部は、各メールの表示回数を計測し、計測した表示回数に基づいて、前記重要度を補正することが好ましい。
【０００９】
また、この発明において、前記削除部は、前記記憶部に記憶されたメールの容量が所定のサイズを超えると前記重要度に基づいてメールを削除することが好ましい。
また、この発明において、前記メールのサイズとは、メールの文章量であることが好ましい。
また、この発明において、前記メールのサイズとは、メールの添付データのサイズであることが好ましい。
【発明の効果】
【００１０】
この発明によれば、受信したメールを自動消去する場合に、ユーザにとって重要なメールの削除を防止することができ、また、ユーザ自身が設定しなくてはならないメール保護機能を必要としないためユーザの操作負担を減らすことができる。
【発明を実施するための最良の形態】
【００１１】
以下、この発明を実施するための最良の形態について図面を参照して説明する。
図１は、この発明の一実施の形態に係るメール受信装置の構成を示すブロック図である。図１に示すように、メール受信装置１０は、メール受信部（受信部）１１、メール情報取得部１２、メール記憶部（記憶部）１３、メール重要度決定部（制御部）１４、重み付け処理部１５、メール自動削除部（削除部）１６、及び表示部１７を有している。
【００１２】
メール受信部１１は、メールを受信する機能を有し、メール情報取得部１２は、受信したメールに付加されているメール情報を取得する。このメール情報としては、送受信日時、送信者アドレス、メール文字数、件名、添付ファイルの有無及び量等がある。メール記憶部１３は、受信したメールを記憶しておき、メール重要度決定部１４は、受信したメールの重要度を決定する。重み付け処理部１５は、重み付け、即ち、重要度付加のためのデータ表を作成し、メール自動削除部１６は、メール記憶部１３に記憶されているメールの容量が所定のサイズを超えると、メールの重要度を参照して、重要度の低いメールから順番に自動的に削除する。つまり、重要度は、メールを削除する際のパラメータとして機能する。表示部１７は、メール記憶部１３に記憶したメールを表示する。
【００１３】
メール重要度決定部１４は、メール開封状態確認部１８、メール閲覧操作部１９、閲覧回数カウンタ２０、閲覧時間カウンタ２１、文章量・添付データ量取得部２２、予想閲覧時間算出部２３、閲覧時間・閲覧回数判断部２４、重要度判定部２５、及び重要度変更処理部２６を有している。
メール開封状態確認部１８は、メールが開封済みであるかそうでないかを判断してメールの状態を確認し、メール閲覧操作部１９は、メールを表示部１７に表示すると共に、表示したメールの閲覧操作（スクロールなど）を行う。閲覧回数カウンタ２０は、メールの閲覧回数を計測し、閲覧時間カウンタ２１は、メールの閲覧時間を計測する。
【００１４】
文章量・添付データ量取得部２２は、メールの文章の文字数と添付データのデータ量を読み込んで取得し、予想閲覧時間算出部２３は、メールの文章量及び添付データから予想閲覧時間を算出する。閲覧時間・閲覧回数判断部２４は、メールの閲覧時間と閲覧回数を判断し、重要度判定部２５は、予想閲覧時間と実際の閲覧時間及び閲覧回数から、当該メールの重要度を算出する。重要度変更処理部２６は、ユーザからの指示若しくは自動により、重要度判定部２５における重要度の変更を行う。
【００１５】
つまり、メール重要度決定部１４は、メールのサイズに対応する予想表示時間（予想閲覧時間）と、表示部１７に表示していた時間（閲覧時間）に基づいて、表示部１７に表示したメールの重要度を決定し、決定した重要度を、メールに関連付けてメール記憶部１３に記憶するように制御する。ここで、メールのサイズとは、メールの文章量であり、或いはメールの添付データのサイズである。また、メール重要度決定部１４は、各メールの表示回数（閲覧回数）を計測し、計測した表示回数に基づいて、メールの重要度を補正する。そして、メール記憶部１３に記憶されたメールの容量が所定のサイズを超えると、メール自動削除部１６が、重要度に基づいてメール記憶部１３のメールを自動的に削除する。
【００１６】
次に、上記構成を有するメール受信装置１０の具体的な動作について説明する。
図２は、メール新規受信時の重み付けパラメータ表を示す説明図であり、図３は、メール初回閲覧時の重み付けパラメータ表を示す説明図であり、図４は、メール複数回閲覧時の重み付けパラメータ表を示す説明図である。図５は、予想閲覧時間算出のための重み付け条件設定を示す説明図であり、図６は、重要度算出のための重み付け条件設定を示す説明図である。図７は、記憶部に記憶されているパラメータ表（受信時間基準配列）を示す説明図であり、図８は、記憶部に記憶されているパラメータ表（重要度基準配列）を示す説明図である。
【００１７】
メール受信装置１０において、メール受信部１１がメールを受信すると、メール情報取得部１２が、受信されたメールの受信時間や送信者アドレスなどのメール情報を読み取る。この読み取ったメール情報に基づき、重み付け処理部１５において、メール新規受信時の重み付けパラメータ表（図２参照）が作成され、作成されたメール新規受信時の重み付けパラメータ表は、メール記憶部１３に送られ、記憶される。
【００１８】
既読のメールについては、既に測定した閲覧時間や閲覧回数もメール新規受信時の重み付けパラメータ表の中に記憶しておく。なお、新規メールの重要度には、メール新規受信時の重み付けパラメータ表中の「メール００１」（図２参照）のように初期値を与える。重要度の初期値については、即座に削除対象になってしまわないように高い数値を与えておく。
【００１９】
メール開封状態確認部１８及び文章量・添付データ量取得部２２は、メール閲覧操作部１９からメールを閲覧する指示を受けると、メール記憶部１３からメール新規受信時の重み付けパラメータ表（図２参照）を呼び出し、メール開封状態確認部１８が開封回数の読み込みを行い、文章量・添付データ量取得部２２が文書量と添付ファイル容量の読み込みを行う。
【００２０】
メール開封状態確認部１８は、メール新規受信時の重み付けパラメータ表（図２参照）の閲覧回数を参照し、対象のメールが、閲覧が一度もされていない新規メールであるか、或いは既に閲覧がされている開封済メールであるかを判断し、重み付け処理方法を決定する。判断の結果、未開封メールである場合は、閲覧時間カウンタ２１に初期値を与え、開封済みメールである場合は、閲覧時間カウンタ２１の初期値として、メールに既に記憶されている閲覧時間を与える。そして、メール閲覧操作部１９が動作中、閲覧時間カウンタ２１及び閲覧回数カウンタ２０を動作させ、閲覧時間・閲覧回数判断部２４において、閲覧時間と閲覧回数の記録を行う。
【００２１】
文章量・添付データ量取得部２２は、予想閲覧時間算出のための重み付け条件設定表（図５参照）に示すように、予想閲覧時間の基準値や予想閲覧時間の算出法について条件付けを行っている。文章量・添付データ量取得部２２は、予想閲覧時間算出のための重み付け条件設定表（図５参照）の条件及びメール新規受信時の重み付けパラメータ表（図２参照）の文章量と添付データ量を参照して、予想閲覧時間算出部２３で予想される閲覧時間を割り出し、割り出した予想される閲覧時間を重要度判定部２５へ送る。
【００２２】
重要度判定部２５は、重要度算出のための重み付け条件設定表（図６参照）に示すように、閲覧回数による補正値や重要度の算出法について条件付けを行っており、この設定表を基準にしてメールの重要度を判定する。重要度判定部２５は、判定結果を重み付け処理部１５へ送り、重み付け処理部１５において、メール記憶部１３に記憶させるためのメール新規受信時の重み付けパラメータ表（図２参照）を作成する。
【００２３】
ここで、重要度判定部２５における条件付けについて、重要度算出のための重み付け条件設定表（図６参照）の条件が付加されている状態で、メール新規受信時の重み付けパラメータ表（図２参照）のメールを閲覧した場合の例を示す。先ず、メールの文字数と添付データの容量を読み取る。メール新規受信時の重み付けパラメータ表（図２参照）の場合では、文字数が６０文字、添付データ量が１０ｋＢなので、予想閲覧時間算出のための重み付け条件設定表（図５参照）の条件から、予想閲覧時間は、
６０［文字］÷５［文字／秒］＋１０［ｋＢ］÷１０［ｋＢ／秒］＝１３［秒］
と算出される。
【００２４】
そして、実際の閲覧時間が１５秒であった場合、重要度は、
１５［秒］÷１３［秒］＝１．１５
となる。次に、重み付け処理部１５においてメール初回閲覧時の重み付けパラメータ表（図３参照）が作られ、この重み付けパラメータ２がメール記憶部１３で保存される。
更に、もう一度このメールを閲覧したとする。この場合、予想閲覧時間は既に算出済みなので、閲覧時間と閲覧回数の変更のみを行う。閲覧時間は、前回の閲覧で既に１５秒となっている。複数回閲覧時は、この数値をカウンタの初期値として与えることにより、累積閲覧時間を求めることができる。
【００２５】
今回、更に１５秒閲覧したとすると、カウンタの数値は３０秒になるため、重要度は、既に得られている予想閲覧時間を用いて、
３０［秒］÷１３［秒］≒２．３１
となるが、閲覧回数が２回目になるので、閲覧回数補正値、
（２−１）［回］×０．１＝０．１
を加算し、重要度＝２．４１と判定される（図６参照）。このとき、重み付け処理部１５においてメール複数回閲覧時の重み付けパラメータ表（図４参照）が作られ、この重み付けパラメータ表がメール記憶部１３に記憶される。
【００２６】
メールを未開封状態に戻したい場合や、案内メール等のように、閲覧回数が多く自然と重要度が高くなってしまうが期間が過ぎれば自動更新された重要度に反して、重要度がユーザにとって高くなくなってしまう。そこで、メールの重要度を変更する場合のため、重要度変更処理部２６を設けて、外部からの指示により重要度を変更できるようにする。
【００２７】
メール記憶部１３には、記憶されているパラメータ表（受信時間基準配列）（図７参照）に示すように、各メールのパラメータ表が収められる。また、重要度順に並べ替えを行った場合は、記憶されているパラメータ表（重要度基準配列）（図８参照）となる。メール記憶部１３に記憶されたメールの容量が限界に達した場合には、メール自動削除部１６が、メール記憶部１３に記憶されているメールの重要度を参照し、重要度の低いメールから削除するようにメール記憶部１３に指示する。
【００２８】
次に、メール受信装置１０によるメール管理処理の流れについて説明する。
図９は、メール重要度決定部における処理の流れを示すフローチャートである。図９に示すように、メール重要度決定部１４は、先ず、メールを開封する際、開封対象のメールが既に開封済みメールでないか否か、即ち、閲覧回数＝初期値か否かを判定する（ステップＳ１０１）。
【００２９】
判定の結果、閲覧回数が初期値である（閲覧回数＝初期値）、即ち、開封済みのメールでない、未開封のメールである（Ｙｅｓ）場合、メール重要度決定部１４は、重要度に初期値を与え（ステップＳ１０２）、重要度に続けて、閲覧回数カウンタ２０に初期値を与え（ステップＳ１０３）、更に、閲覧時間カウンタ２１に初期値を与える（ステップＳ１０４）。これらの処理は、メールが未開封であった場合の準備処理である。
【００３０】
メール重要度決定部１４は、閲覧時間カウンタ２１に初期値を与えた（ステップＳ１０４）後、閲覧時間カウンタ２１を動作させる（ステップＳ１０５）。メールを閲覧している間に閲覧時間カウンタ２１を動作させて閲覧時間をカウントし、メール表示から画面表示の遷移を行う操作（メール閲覧終了の操作）が行われた場合に閲覧終了を判断し、閲覧時間カウンタ２１を停止する。
【００３１】
一方、開封対象のメールが既に開封済みメールでないか否かの判定（ステップＳ１０１）の結果、閲覧回数が初期値でない、即ち、開封済みのメールである（Ｎｏ）場合、メール重要度決定部１４は、閲覧時間及び閲覧回数を読み込み（ステップＳ１０６）、閲覧回数カウンタ２０をインクリメントし（ステップＳ１０７）、閲覧時間カウンタ２１に閲覧時間を与える（ステップＳ１０８）。これらの処理は、メールが開封済みであったときの準備処理であり、メールが開封済みであった場合、閲覧回数カウンタ２０の数値を増やし、既にメールに記憶されている閲覧時間を読み取って、その時間を閲覧時間カウンタ２１の初期値にする。その後、閲覧時間カウンタ２１を動作させる（ステップＳ１０５）。
【００３２】
次に、メール重要度決定部１４は、重要度を判定する重要度判定処理を行い（ステップＳ１０９）、重要度に、判定結果である判定値を与える、即ち、重要度判定部２５からの判定値をメールに付加する（ステップＳ１１０）。
その後、メール重要度決定部１４は、重要度を変更するか否かを判定し（ステップＳ１１１）、判定の結果、重要度を変更する（Ｙｅｓ）場合、重要度を変更する処理を行う（ステップＳ１１２）。つまり、重要度の変更要求があった場合、例えば、未開封メールに戻したいときや、案内メール等のように閲覧回数が多く重要度が大きくなったが期限切れのため重要度を低くしたいメール等があった場合に、重要度の変更を行う。
【００３３】
その後、当該メールの自動削除を行うか否かを判定する（ステップＳ１１３）。一方、重要度を変更するか否かの判定（ステップＳ１１１）の結果、重要度を変更しない（Ｎｏ）場合、当該メールの自動削除を行うか否かを判定する（ステップＳ１１３）。
メール重要度決定部１４は、当該メールの自動削除を行うか否かの判定（ステップＳ１１３）の結果、当該メールの自動削除を行う（Ｙｅｓ）場合、当該メールを自動的に削除する処理を行った（ステップＳ１１４）後、メール重要度決定処理を終了する。一方、判定の結果、当該メールの自動削除を行わない（Ｎｏ）場合、そのままメール重要度決定処理を終了する。
【００３４】
図１０は、メール重要度決定部における重要度判定処理の流れを示すフローチャートである。図１０に示すように、重要度判定部２５は、重要度判定処理を行うに際し、先ず、閲覧回数が初期値である（閲覧回数＝初期値）か否かを判定する（ステップＳ２０１）。
判定の結果、閲覧回数が初期値である（Ｙｅｓ）場合、重要度判定部２５は、メールの文章量などのメールのサイズから予想閲覧時間を算出し（ステップＳ２０２）、閲覧時間カウンタ２１を読み込み（ステップＳ２０３）、判定対象メールの重要度を算出する（ステップＳ２０４）。これらの処理は、閲覧回数が初期値の場合の重要度を判定しており、メールの文章量と添付データの容量を読み取り、メールのサイズから予想閲覧時間を算出し、閲覧時間カウンタ２１の数値を読み込んで、予想閲覧時間との比較を行い重要度を算出する。尚、メールのサイズとして用いるのは、メールの文章量或いは添付データの容量のどちらか一方でも良い。
【００３５】
一方、閲覧回数が初期値であるか否かの判定（ステップＳ２０１）の結果、閲覧回数が初期値でない（Ｎｏ）場合、重要度判定部２５は、閲覧時間カウンタ２１を読み込み（ステップＳ２０５）、閲覧回数カウンタ２０を読み込み（ステップＳ２０６）、更に、予想閲覧時間を読み込んだ（ステップＳ２０７）後、判定対象メールの重要度を算出する（ステップＳ２０４）。これらの処理は、閲覧回数が初期値でない場合の重要度を判定しており、閲覧回数カウンタ２０の読み込み、閲覧時間カウンタ２１の読み込み、予想閲覧時間の読み込みを行い、重要度の算出をする。
【００３６】
重要度判定部２５は、判定対象メールの重要度を算出（ステップＳ２０４）した後、算出結果に基づき判定値を出力し（ステップＳ２０８）、その後、重要度判定処理を終了する。
図１１は、重要度及び閲覧回数に閾値を設けた場合のメール重要度決定部における処理の流れを示すフローチャート（その１）であり、図１２は、重要度及び閲覧回数に閾値を設けた場合のメール重要度決定部における処理の流れを示すフローチャート（その２）である。
【００３７】
図１１及び図１２に示すように、メール重要度決定部１４は、先ず、メールを開封する際、開封対象のメールが既に開封済みメールでないか否か、即ち、閲覧回数＝初期値か否かを判定する（ステップＳ３０１）。
判定の結果、閲覧回数が初期値である（閲覧回数＝初期値）、即ち、開封済みのメールでない、未開封のメールである（Ｙｅｓ）場合、メール重要度決定部１４は、重要度に初期値を与え（ステップＳ３０２）、重要度に続けて、閲覧回数カウンタ２０に初期値を与え（ステップＳ３０３）、更に、閲覧時間カウンタ２１に初期値を与える（ステップＳ３０４）。
【００３８】
これらの処理は、メールが未開封であった場合の準備処理であり、閲覧時間カウンタ２１に初期値を与えた（ステップＳ３０４）後、閲覧時間カウンタ２１を動作させる（ステップＳ３０５）。メールを閲覧している間に閲覧時間カウンタ２１を動作させて閲覧時間をカウント、メール表示から画面表示の遷移を行う操作（メール閲覧終了の操作）が行われた場合に閲覧終了を判断し、閲覧時間カウンタ２１を停止する。
【００３９】
一方、開封対象のメールが既に開封済みメールでないか否かの判定（ステップＳ３０１）の結果、閲覧回数が初期値でない、即ち、開封済みのメールである（Ｎｏ）場合、メール重要度決定部１４は、重要度が閾値である（重要度＝閾値）か否かを判定する（ステップＳ３０６）。これは、閾値についての判断を行うものであり、重要度＝閾値、或いは閲覧回数＝閾値となっている場合には、重要度算出処理を行わず、そうでない場合は、次の重要度算出処理の動作に移る。
【００４０】
重要度が閾値であるか否かの判定（ステップＳ３０６）の結果、重要度が閾値でない（Ｎｏ）場合、メール重要度決定部１４は、閲覧時間及び閲覧回数を読み込み（ステップＳ３０７）、閲覧回数カウンタ２０をインクリメントし（ステップＳ３０８）、閲覧時間カウンタ２１に閲覧時間を与える（ステップＳ３０９）。
これらの処理は、メールが開封済みであったときの準備処理であり、メールが開封済みであった場合、閲覧回数カウンタ２０の数値を増やし、既にメールに記憶されている閲覧時間を読み取って、その時間を閲覧時間カウンタ２１の初期値にする。その後、閲覧時間カウンタ２１を動作させる（ステップＳ３０５）。
【００４１】
次に、メール重要度決定部１４は、重要度を判定する重要度判定処理を行う（ステップＳ３１０）。その後、判定値が閾値より大きい（判定値＞閾値）か、或いは閲覧回数が閾値より大きい（閲覧回数＞閾値）かを判定する（ステップＳ３１１）。
【００４２】
ステップＳ３１１における判定の結果、判定値が閾値より大きい或いは閲覧回数が閾値より大きい（Ｙｅｓ）場合、メール重要度決定部１４は、判定値に閾値を与え（ステップＳ３１２）、重要度に判定値を与える（ステップＳ３１３）。つまり、重要度判定処理によって得られた、重要度若しくは閲覧回数が閾値より大きい場合に、閾値を重要度に設定する。一方、ステップＳ３１１における判定の結果、判定値が閾値より大きくなく或いは閲覧回数が閾値より大きくない（Ｎｏ）場合、メール重要度決定部１４は、重要度に閾値を設定することなく、重要度に判定値を与える（ステップＳ３１３）。
【００４３】
重要度に判定値を与えた（ステップＳ３１３）後、メール重要度決定部１４は、重要度を変更するか否かを判定する（ステップＳ３１４）。
なお、重要度が閾値である（重要度＝閾値）か否かの判定（ステップＳ３０６）の結果、重要度が閾値である（Ｙｅｓ）場合、メール重要度決定部１４は、重要度算出処理を行わずに、重要度を変更するか否かを判定する（ステップＳ３１４）。
【００４４】
次に、重要度を変更するか否かの判定（ステップＳ３１４）の結果、重要度を変更する（Ｙｅｓ）場合、メール重要度決定部１４は、重要度を変更する処理を行った（ステップＳ３１５）後、当該メールの自動削除を行うか否かを判定する（ステップＳ３１６）。一方、判定（ステップＳ３１４）の結果、重要度を変更しない（Ｎｏ）場合、メール重要度決定部１４は、当該メールの自動削除を行うか否かを判定する（ステップＳ３１６）。
【００４５】
当該メールの自動削除を行うか否かの判定（ステップＳ３１６）の結果、当該メールの自動削除を行う（Ｙｅｓ）場合、メール重要度決定部１４は、当該メールを自動的に削除する処理を行った（ステップＳ３１７）後、重要度決定処理を終了する。一方、判定（ステップＳ３１６）の結果、当該メールの自動削除を行わない（Ｎｏ）場合、メール重要度決定部１４は、そのまま重要度決定処理を終了する。
【００４６】
図１３は、図１１のメール重要度決定部における重要度判定処理の流れを示すフローチャートである。図１３に示すように、重要度判定部２５は、重要度判定処理を行うに際し、先ず、閲覧回数が初期値である（閲覧回数＝初期値）か否かを判定する（ステップＳ４０１）。
【００４７】
判定の結果、閲覧回数が初期値である（Ｙｅｓ）場合、重要度判定部２５は、メールの文章量などのメールのサイズから予想閲覧時間を算出し（ステップＳ４０２）、閲覧時間カウンタ２１を読み込み（ステップＳ４０３）、判定対象メールの重要度を算出する（ステップＳ４０４）。これらの処理は、閲覧回数が初期値の場合の重要度を判定しており、メールの文章量と添付データの容量を読み取り、メールのサイズから予想閲覧時間を算出し、閲覧時間カウンタ２１の数値を読み込み、予想閲覧時間との比較を行い重要度を算出する。尚、メールのサイズとして用いるのは、メールの文章量或いは添付データの容量のどちらか一方でも良い。
【００４８】
一方、閲覧回数が初期値であるか否かの判定（ステップＳ４０１）の結果、閲覧回数が初期値でない（Ｎｏ）場合、重要度判定部２５は、閲覧時間カウンタ２１を読み込み（ステップＳ４０５）、閲覧回数カウンタ２０を読み込み（ステップＳ４０６）、予想閲覧時間を読み込んだ（ステップＳ４０７）後、判定対象メールの重要度を算出する（ステップＳ４０４）。これらの処理は、閲覧回数が初期値でない場合の重要度を判定しており、閲覧回数カウンタ２０の読み込み、閲覧時間カウンタ２１の読み込み、予想閲覧時間の読み込みを行い、重要度の算出をする。
【００４９】
判定対象メールの重要度を算出した（ステップＳ４０４）後、重要度判定部２５は、算出結果に基づき判定値を出力する（ステップＳ４０８）。その後、重要度判定処理を終了する。
ところで、メール受信装置１０（図１参照）のメール記憶部１３は、受信したメールが受信してから一定期間開封されないようであれば、当該メールの重要度を下げる設定を行うことができる。また、重要度判定部２５は、重要度或いは閲覧時間に閾値を設定することができる。これらの設定を行った場合のメール記憶部１３或いは重要度判定部２５の動作である応用動作について、以下に説明する。
【００５０】
図１４は、メールを受信してから一定期間開封されなかった場合の条件設定及び重み付けパラメータ表を示す説明図であり、図１５は、重要度算出のための条件設定（閾値を設定した場合）を示す説明図であり、図１６は、重要度が閾値に達した場合の条件設定及び重み付けパラメータ表を示す説明図であり、図１７は、閲覧回数が閾値に達した場合の条件設定及び重み付けパラメータ表を示す説明図である。
【００５１】
メール受信装置１０において、新規メールが受信され、受信後一定期間が経っても受信したメールが開封されないようであれば、メール重要度決定部１４の重要度変更処理部２６により、初期値として与えられている高めの重要度を下げる処理を行う。一例として、新規メールを受信してから例えば１０日が経過してもメールが開封されなかった場合や、後から送られてきたメールが先に例えば１０件開封された場合等に、初期値として１０．０が設定されていたものを初期値０に変更する等の処理を行う。この処理によって作成されたパラメータ表を、図１４に示す。
【００５２】
また、重要度判定部２５に、図１５に示す、重要度算出のための条件設定（閾値を設定した場合）が行われている際に、閲覧時間が予想閲覧時間に対して遙かに長くなった場合には、重要度を限定することができる。一例として、メール新規受信時の重み付けパラメータ表（図２参照）にあるメールを閲覧したとき、閲覧時間が例えば１５０秒になったとする。このとき、重要度は、実際の閲覧時間を１５０秒、予想閲覧時間を１３秒として、
１５０［秒］÷１３［秒］≒１１．５
と算出される。
【００５３】
図１５に示す条件では、重要度の閾値は１０．０と設定されているので、重要度は１１．５ではなく、閾値の１０．０が設定され、重み付け処理部１５でパラメータ表が作られる。このとき作成されるパラメータ表を、図１６に示す。
また、重要度判定部２５に、図１５に示す条件が与えられている場合において、閲覧回数が多くなった場合についても、重要度を限定させることができる。一例として、メール新規受信時の重み付けパラメータ表（図２参照）にあるメールを例えば１０回閲覧し、累計閲覧時間が例えば４５秒であったとする。このとき、重要度は、実際の閲覧時間を４５秒、予想閲覧時間を１３秒、閲覧回数補正値を（１０−１）として、
４５［秒］÷１３［秒］＋（１０−１）×０．１≒４．３６
と算出される。
【００５４】
しかし、閲覧回数の閾値は１０．０に設定されているので、重要度は４．３６ではなく閾値の１０．０が設定され、重み付け処理部１５でパラメータ表が作られる。このとき作成されたパラメータ表を、図１７に示す。
なお、開封済みのメールであり、且つ、重要度が閾値に達したメールに関しては、重要度算出処理を行わなくて良い。重要度が閾値に達したメールについては、自動的に保護するようにして、自動削除の対象から除外することができる。
【００５５】
このように、この発明に係るメール受信装置１０は、受信したメールを自動消去するように設定されている場合であっても、ユーザにとって重要なメールが削除されてしまうのを防ぐことができ、また、ユーザ自身が手動で設定しなくてはならないメール保護機能を必要としないため、ユーザの操作負担を減らすことができ、更に、メール本文の重要度を類推することができるため、ユーザの価値観をより確実に重み付けに反映することができる。
【００５６】
なお、この発明は、上述した実施の形態により説明したが、この実施の形態に限定されるものではない。従って、本発明の趣旨を逸脱することなく変更態様として実施するものも含むものである。
【図面の簡単な説明】
【００５７】
【図１】この発明の一実施の形態に係るメール受信装置の構成を示すブロック図である。
【図２】メール新規受信時の重み付けパラメータ表を示す説明図である。
【図３】メール初回閲覧時の重み付けパラメータ表を示す説明図である。
【図４】メール複数回閲覧時の重み付けパラメータ表を示す説明図である。
【図５】予想閲覧時間算出のための重み付け条件設定を示す説明図である。
【図６】重要度算出のための重み付け条件設定を示す説明図である。
【図７】記憶部に記憶されているパラメータ表（受信時間基準配列）を示す説明図である。
【図８】記憶部に記憶されているパラメータ表（重要度基準配列）を示す説明図である。
【図９】メール重要度決定部における処理の流れを示すフローチャートである。
【図１０】図９のメール重要度決定部における重要度判定処理の流れを示すフローチャートである。
【図１１】重要度及び閲覧回数に閾値を設けた場合のメール重要度決定部における処理の流れを示すフローチャート（その１）である。
【図１２】重要度及び閲覧回数に閾値を設けた場合のメール重要度決定部における処理の流れを示すフローチャート（その２）である。
【図１３】図１１のメール重要度決定部における重要度判定処理の流れを示すフローチャートである。
【図１４】メールを受信してから一定期間開封されなかった場合の条件設定及び重み付けパラメータ表を示す説明図である。
【図１５】重要度算出のための条件設定（閾値を設定した場合）を示す説明図である。
【図１６】重要度が閾値に達した場合の条件設定及び重み付けパラメータ表を示す説明図である。
【図１７】閲覧回数が閾値に達した場合の条件設定及び重み付けパラメータ表を示す説明図である。
【符号の説明】
【００５８】
１０  メール受信装置
１１  メール受信部
１２  メール情報取得部
１３  メール記憶部
１４  メール重要度決定部
１５  重み付け処理部
１６  メール自動削除部
１７  表示部
１８  メール開封状態確認部
１９  メール閲覧操作部
２０  閲覧回数カウンタ
２１  閲覧時間カウンタ
２２  文章量・添付データ量取得部
２３  予想閲覧時間算出部
２４  閲覧時間・閲覧回数判断部
２５  重要度判定部
２６  重要度変更処理部
【図１】
2010079861.tif 000003
【図２】
2010079861.tif 000004
【図３】
2010079861.tif 000005
【図４】
2010079861.tif 000006
【図５】
2010079861.tif 000007
【図６】
2010079861.tif 000008
【図７】
2010079861.tif 000009
【図８】
2010079861.tif 000010
【図９】
2010079861.tif 000011
【図１０】
2010079861.tif 000012
【図１１】
2010079861.tif 000013
【図１２】
2010079861.tif 000014
【図１３】
2010079861.tif 000015
【図１４】
2010079861.tif 000016
【図１５】
2010079861.tif 000017
【図１６】
2010079861.tif 000018
【図１７】
2010079861.tif 000019